(57)【要約】【課題】消火活動に支障を生じさせることなく、消防ホースに照明器具を取り付け、前方や自分の周囲を照らすことができる消火ホース用照明器具取付具を提供する。【解決手段】連結部材１２の一端に消防ホース３０に取り付けるホース側取付部１４を設け、連結部材１２の他端に照明器具４０を取り付ける照明器具側取付部１６を設けて消防ホース用照明器具取付具１０を構成した。【選択図】図１
2013169338.tif 000002
【特許請求の範囲】
【請求項１】
連結部材と、
前記連結部材の一端に消防ホースに取り付けられるホース側取付部と、
前記連結部材の他端に照明器具を取り付ける照明器具側取付部と、を備えたことを特徴とする消防ホース用照明器具取付具。
【請求項２】
前記連結部材は、前記ホース側取付部に対して前記照明器具側取付部を、前記連結部材と前記消防ホースからの放水方向とを含む平面内で屈曲させる屈曲部を備え、前記照明器具側取付部に取り付けられた前記照明器具が照射する方向を前記屈曲部により変更可能としたことを特徴とする請求項１に記載の消防ホース用照明器具取付具。
【請求項３】
前記連結部材は、前記ホース側取付部に対して前記照明器具側取付部を、前記ホース側取付部を中心とした軸周りに回動させる回動部を備え、前記照明器具側取付部に取り付けられた前記照明器具が照射する方向を前記回動部により回動可能としたことを特徴とする請求項１に記載の消防ホース用照明器具取付具。
【請求項４】
前記連結部材は、前記ホース側取付部に対して前記照明器具側取付部を、前記消防ホースからの放水方向を含む平面内で屈曲させ屈曲部と、前記ホース側取付部に対して前記照明器具側取付部を、前記ホース側取付部の軸芯周りに回動させる回動部とを備えていることを特徴とする請求項１に記載の消防ホース用照明器具取付具。
【請求項５】
前記照明器具には、緊急報知機能が設けられていることを特徴とする請求項１〜４のいずれか１項に記載の消防ホース用照明器具取付具。
【発明の詳細な説明】
【技術分野】
【０００１】
本発明は、消防ホースに照明器具を取り付けるための、消防ホース用照明器具取付具に関する。
【背景技術】
【０００２】
夜間での消火活動では周囲は暗く、又、屋内の場合は、火災発生により停電が発生すると室内の照明が消えて暗くなる。このため、夜間や屋内突入時には携帯型の照明器具等が必要とされている。従来は、屋外投光器のような大型の照明器具で全体を照らしたり、頭部に取り付けたヘッドランプ等で照らして、暗い家屋内に進入したりしていた。
【先行技術文献】
【特許文献】
【０００３】
【特許文献１】特開平９−１９２２５５号公報
【発明の概要】
【発明が解決しようとする課題】
【０００４】
しかしながら屋外投光器では、影になる部分も多く、照明が十分ではない場合があった。又、ヘッドライトでは照らしたい方向に頭を向ける必要があり、特に放水中に自分の足元を照らすこと等ができなかった。更に消防隊員は、放水ノズルの水圧に耐えるため、放水ノズルを両手で握って消火作業を行っており、消火活動中に、携帯型の照明器具を持って所望の箇所を照らすことはできなかった。
【０００５】
本発明は、消火活動に支障を生じさせることなく、消防ホースに照明器具を取り付け、前方や自分の周囲等を照明器具で照らすことができる消火ホース用照明器具取付具を提供することを目的とする。
【課題を解決するための手段】
【０００６】
上記の課題を解決し目的を達成するために、本発明の消防ホース用照明器具取付具は次のように構成されている。すなわち、連結部材の一方に消防用ホースに取り付けるホース側取付部を設け、他方に照明器具を取り付ける照明器具側取付部を設けて構成した。
【発明の効果】
【０００７】
本発明によれば、消火活動に支障を生じさせることなく、消防ホースに照明器具を取り付け、前方や自分の周囲等を照明器具で照らすことができる。
【図面の簡単な説明】
【０００８】
【図１】本発明の第１実施形態にかかる消防ホース用照明器具取付具を示す平面図。
【図２】同消防ホース用照明器具取付具を消防ホースに用いた状態を示す側面図。
【図３】同消防ホース用照明器具取付具を示す側面図。
【図４】本発明の第２実施形態にかかる消防ホース用照明器具取付具を示す平面図。
【図５】同消防ホース用照明器具取付具を示す側面図。
【図６】本発明の第３実施形態にかかる消防ホース用照明器具取付具を示す側面図。
【発明を実施するための形態】
【０００９】
図１〜図３に、本発明の第１実施形態にかかる消防ホース用照明器具取付具１０を示す。消防ホース用照明器具取付具１０は、図１に示すように中央に円柱状の連結部材１２を有し、連結部材１２の一方の端部に、消防ホース３０の連結金具３６（いずれも、図２参照。）に取り付け可能な円筒状のホース側取付部１４を備え、連結部材１２の他方の端部に照明器具４０（図２参照）を取り付ける円筒状の照明器具側取付部１６を備えている。図３に、消防ホース用照明器具取付具１０の側面を示す。
【００１０】
ホース側取付部１４は、図１に示すように適度な開口間隔Ｄ１を有するＣ字状で、開口間隔Ｄ１を若干広げて消防ホース３０の連結金具３６の外周に嵌め込み可能な径となっている。又、ホース側取付部１４は、適度な弾力性を有し、連結金具３６の外周に嵌め込むと弾性力により連結金具３６に適度な保持力で固定される。
【００１１】
照明器具側取付部１６は、図１に示すようにホース側取付部１４と同様Ｃ字状で、開口間隔Ｄ２を有し、開口間隔Ｄ２を若干広げて携帯型の照明器具４０が適度な保持力で取り付けられる径を有している。照明器具４０は、電池式、あるいは充電式の携帯可能な照明器具であり、市販の照明器具が使用可能である。なお、照明器具側取付部１６は、特定の照明器具４０が取り付けられるように、照明器具４０に対応した形状に形成されていてもよい。
【００１２】
消防ホース３０は、図２に示すように送水ホース３２と、放水ノズル３４と、送水ホース３２と放水ノズル３４とを連結する連結金具３６を備えて構成されている。送水ホース３２は、ポンプ車や消火栓の吐出口に一端が連結され、他端に連結金具３６がかしめてある。連結金具３６の先方には、放水ノズル３４が取り付けられている。
【００１３】
このように構成された本発明の第１実施形態にかかる消防ホース用照明器具取付具１０の作用及び効果について説明する。消防ホース用照明器具取付具１０のホース側取付部１４を、連結金具３６に取り付ける。ホース側取付部１４は、適度な保持力で連結金具３６に固定される。連結金具３６にホース側取付部１４を取り付けたなら、照明器具側取付部１６に照明器具４０を取り付ける。図２に、消防ホース３０の連結金具３６に消防ホース用照明器具取付具１０を取り付け、さらに、消防ホース用照明器具取付具１０に照明器具４０を取り付けた状態を示す。照明器具４０は、照明の方向を前方に向けて照明器具側取付部１６に保持されている。
【００１４】
消火作業において、消防隊員は、両手で放水ノズル３４を握ったり、あるいは一方の手で放水ノズル３４の先端付近を握り、他方の手で放水ノズル３４と送水ホース３２とを連結する連結金具３６近辺を握ったりしている。消防ホース用照明器具取付具１０は、このようにして消防隊員が消防ホース３０を握った状態においても、消火作業中に支障が生じない箇所に照明器具４０を保持している。
【００１５】
消火活動中、消防隊員は両手で消防ホース３０を握っているが、消防ホース用照明器具取付具１０に照明器具４０が取り付けられているので、夜間や明かりのない屋内等において照明器具４０を用いて放水ノズル３４の先端方向を照らすことができる。
【００１６】
このように、本実施の形態にかかる消防ホース用照明器具取付具１０によれば、消火活動に支障を生じさせることなく、消防ホース３０に照明器具４０を取り付け、取り付けた照明器具４０で前方を照らすことができる。なお、ホース側取付部１４は、連結金具３６でなく、消防ホース３０の他の箇所に取り付けるようにしてもよい。又、ホース側取付部１４は、ホース側取付部１４が有する弾性力でなく、消防ホース３０に他の手段で取り付けるようにしてもよい。
【００１７】
図４、図５に、本発明の第２実施形態にかかる消防ホース用照明器具取付具１１を示す。なお、図４、図５において消防ホース用照明器具取付具１０と同一の部材には同一の符号を付し、その詳細な説明は省略する。
【００１８】
消防ホース用照明器具取付具１１は、ホース側取付部１４と、照明器具側取付部１６と、連結部材１３を備えている。ホース側取付部１４と照明器具側取付部１６の構成は、上記例と同様な構成である。
【００１９】
連結部材１３は、第１連結部材１３ａと、第２連結部材１３ｂと、第１連結部材１３ａと第２連結部材１３ｂの間に設けられた可動部２０を備えている。ホース側取付部１４は第１連結部材１３ａの端部に、照明器具側取付部１６は第２連結部材１３ｂの端部にそれぞれ取り付けられている。
【００２０】
可動部２０は、第１連結部材１３ａと第２連結部材１３ｂとを、矢印Ｐに示すように両者を任意な角度に屈曲可能とした屈曲部としての機能と、矢印Ｑ及び矢印Ｒに示すようにそれぞれの軸周りに回動可能とした回動部としての機能とを備え、さらに、それらにより屈曲、回動させた状態を適度な保持力で保持できるように構成されている。
【００２１】
図４は、可動部２０により連結部材１３を屈曲させた状態を示し、図５は、かかる状態から第２連結部材１３ｂを矢印Ｑの周りに回転させ、照明器具側取付部１６を側方に向けた状態を示す。
【００２２】
これにより本発明の第２実施形態にかかる消防ホース用照明器具取付具１１は、ホース側取付部１４により消防ホース３０に固定されるとともに照明器具側取付部１６に照明器具４０を取り付け、前方を照明器具４０で照らすことができるとともに、可動部２０により第１連結部材１３ａと第２連結部材１３ｂとを屈曲、あるいは回転させることにより、ホース側取付部１４に対して照明器具４０を任意な方向に向け、照らすことができる。しかも、可動部２０はその状態を保持させるので、所望の方向を継続して照明器具４０で照らすことができる。
【００２３】
したがって消防隊員は、放水ノズル３４を両手で把持している消火活動中においても、照明器具４０により所望の方向を確認することができる。このように、本発明の第２実施形態の消防ホース用照明器具取付具１１によれば、消火活動に支障を生じさせることなく、消防ホース３０に照明器具４０を取り付け、取り付けた照明器具４０を連結部材１３により任意な方向に向けて、前方のみならず自分の周囲等所望の方向を照らすことができる。
【００２４】
図６に、本発明の第３実施形態にかかる消防ホース用照明器具取付具１７を示す。この実施形態では、消防ホース用照明器具取付具１７は、上述した消防ホース用照明器具取付具１０あるいは１１と同一のものであるが、図６に示すように、消防ホース用照明器具取付具１７に取り付けられている緊急報知機能付き照明器具４１に、異常発生を周囲に報知する、例えば赤色ライト４２が設けられている。
【００２５】
緊急報知機能付き照明器具４１は、前方を照射する通常の照明器具を備えるとともに上部に緊急報知機能としての赤色ライト４２が設けられている。赤色ライト４２は、消火活動中でも操作できるように、例えば上部を押圧すると作動するようなスイッチを備えている。なお、図６中３５は、ガンタイプの放水ノズルであり、実質的に上述した放水ノズル３４と大きな変更はない。
【００２６】
このような構成の本発明の第３実施形態にかかる消防ホース用照明器具取付具１７によれば、通常の照明器具により周囲を照らすとともに万一消火活動中に周囲から応援を呼びたい場合が生じたときなどでは、緊急報知機能付き照明器具４１の赤色ライト４２を点灯、あるいは点滅させ、周囲に通常ではない状態を赤色ライト４２により報知させることができる。
【００２７】
このように、本実施の形態にかかる消防ホース用照明器具取付具１７によれば、消火活動に支障を生じさせることなく、消防ホース３０に緊急報知機能付き照明器具４１を取り付けることができ、取り付けた緊急報知機能付き照明器具４１で前方や自分の周囲を照らすとともに、赤色ライト４２を作動させることにより緊急事態等を周囲に報知することができる。
【００２８】
なお、本発明は前記実施の形態に限定されるものではない。例えば、消防ホース用照明器具取付具１０等は、照明器具側取付部１６に照明器具４０が固定されていてもよい。また、緊急報知機能は、赤色ライト４２に限るものではない。この他、本発明の要旨を逸脱しない範囲で、種々変形実施可能であるのは勿論である。
【産業上の利用可能性】
【００２９】
本発明は、消防ホースに照明器具を取り付ける消防ホース用照明器具取付具に関する。
【符号の説明】
【００３０】
１０、１１、１７…消防ホース用照明器具取付具、１２、１３…連結部材、１４…ホース側取付部、１６…照明器具側取付部、２０…可動部、３０…消防ホース、３２…送水ホース、３４…放水ノズル、３６…連結金具、４０…照明器具、４１…緊急報知機能付き照明器具。
【図１】
2013169338.tif 000003
【図２】
2013169338.tif 000004
【図３】
2013169338.tif 000005
【図４】
2013169338.tif 000006
【図５】
2013169338.tif 000007
【図６】
2013169338.tif 000008